(57)【特許請求の範囲】
【請求項１】
乗りかごの昇降動作を制御するエレベータ制御装置と、
前記乗りかごが着床するホールの各々に設けられ、利用者の操作に応じてホール呼びを出力する複数のホール呼び登録装置と、
前記複数のホール呼び登録装置がそれぞれ属する複数のグループの各々に対応する複数の無線装置と
を具備し、
前記複数の無線装置の各々は、当該無線装置に対応するグループに属するホール呼び登録装置によって出力されたホール呼びを、無線通信により前記エレベータ制御装置に送信する送信手段と、前記エレベータ制御装置と前記複数の無線装置との間の無線通信を復帰する必要がある場合、当該無線装置に対応するグループに属するホール呼び登録装置によって出力されたホール呼びが存在するか否かを前記エレベータ制御装置に通知する通知手段とを含み、
前記エレベータ制御装置は、前記無線装置からホール呼びが存在することが通知された場合、当該エレベータ制御装置と当該無線装置との間の無線通信を優先的に復帰させる通信制御手段を含む
エレベータシステム。
【請求項２】
乗りかごの昇降動作を制御するエレベータ制御装置と、前記乗りかごが着床するホールの各々に設けられる複数のホール呼び登録装置と、前記複数のホール呼び登録装置がそれぞれ属する複数のグループの各々に対応する複数の無線装置とを備えるエレベータシステムが実行する無線通信方法であって、
前記ホール呼び登録装置が、利用者の操作に応じてホール呼びを出力するステップと、
前記ホール呼びを出力したホール呼び登録装置が属するグループに対応する前記無線装置が、当該ホール呼びを無線通信により前記エレベータ制御装置に送信するステップと、
前記エレベータ制御装置と前記複数の無線装置との間の無線通信を復帰する必要がある場合、前記複数の無線装置の各々が、当該無線装置に対応するグループに属するホール呼び登録装置によって出力されたホール呼びが存在するか否かを前記エレベータ制御装置に通知するステップと、
前記無線装置からホール呼びが存在することが通知された場合、前記エレベータ制御装置が、当該エレベータ制御装置と当該無線装置との間の無線通信を優先的に復帰させるステップと
を具備する無線通信方法。
【発明の詳細な説明】
【技術分野】
【０００１】
本発明の実施形態は、エレベータシステム及び無線通信方法に関する。
【背景技術】
【０００２】
一般に、エレベータシステムには、エレベータ全体の制御を行うための装置（以下、エレベータ制御装置）が備えられている。エレベータ制御装置は、巻上げ機を駆動させて昇降路内における乗りかごの昇降動作を制御する。
【０００３】
乗りかご内には、行先階登録装置（行先階ボタン）が設けられている。行先階登録装置は、当該行先階登録装置に対する利用者の操作に応じてかご呼びを出力する。かご呼びは、乗りかご内の利用者の行先階を表す制御信号である。
【０００４】
また、乗りかごが着床する各ホール（階床）には、ホール呼び登録装置（ホール呼びボタン）が設けられている。ホール呼び登録装置は、当該ホール呼び登録装置に対する利用者の操作に応じてホール呼び（乗場呼び）を出力する。ホール呼びは、ホールに待機する利用者の行先方向を表す制御信号である。
【０００５】
上記した乗りかごの昇降動作は、行先階登録装置によって出力されるかご呼び及びホール呼び登録装置によって出力されるホール呼び等に基づいて制御される。
【０００６】
近年では、エレベータシステムの無線化に伴い、エレベータ制御装置と乗りかご（行先階登録装置）との間で無線通信を実行することが考えられている。同様に、エレベータ制御装置とホール呼び登録装置との間においても、無線通信を実行することが考えられている。
【先行技術文献】
【特許文献】
【０００７】
【特許文献１】特許第３８６４６４７号公報
【特許文献２】特許第４１２６８８６号公報
【特許文献３】特許第４５４４１６９号公報
【発明の概要】
【発明が解決しようとする課題】
【０００８】
上記したホール呼び登録装置は各ホールに設けられるため、例えば階床数の多い高層ビル等におけるエレベータシステムの場合には、当該階床数と同数のホール呼び登録装置が必要となる。このようなエレベータシステムにおいてエレベータ制御装置とホール呼び登録装置との間の無線通信を実行する場合、エレベータ制御装置と無線通信を実行する通信機器（つまり、ホール呼び登録装置）の数が多くなるため、エレベータシステムにおける無線通信（状態）が不安定となる可能性がある。
【０００９】
更に、例えば建築中の物件におけるエレベータの据付・調整時またはメンテナンス時等には頻繁に電源のＯＮ／ＯＦＦを切り替えることがあるが、エレベータ制御装置と無線通信を実行する通信機器の数が多い場合には、当該切り替えに伴う電源復帰時に異常が発生する可能性が高くなる。このように電源復帰時に異常が発生すると、エレベータの据付・調整時またはメンテナンス時の作業効率が低下する。
【００１０】
そこで、本発明が解決しようとする課題は、システム安定性やエレベータの据付・調整時またはメンテナンス時の作業性を向上させることが可能なエレベータシステム及び無線通信方法を提供することにある。
【課題を解決するための手段】
【００１１】
本実施形態に係るエレベータシステムは、乗りかごの昇降動作を制御するエレベータ制御装置と、前記乗りかごが着床するホールの各々に設けられ、利用者の操作に応じてホール呼びを出力する複数のホール呼び登録装置と、前記複数のホール呼び登録装置がそれぞれ属する複数のグループの各々に対応する複数の無線装置とを具備する。前記複数の無線装置の各々は、当該無線装置に対応するグループに属するホール呼び登録装置によって出力されたホール呼びを、無線通信により前記エレベータ制御装置に送信する送信手段と、前記エレベータ制御装置と前記複数の無線装置との間の無線通信を復帰する必要がある場合、当該無線装置に対応するグループに属するホール呼び登録装置によって出力されたホール呼びが存在するか否かを前記エレベータ制御装置に通知する通知手段とを含む。前記エレベータ制御装置は、前記無線装置からホール呼びが存在することが通知された場合、当該エレベータ制御装置と当該無線装置との間の無線通信を優先的に復帰させる通信制御手段を含む。
【図面の簡単な説明】
【００１２】
【図１】実施形態に係るエレベータシステムの構成を示す図。
【図２】ホール呼び登録装置と無線装置との関係について説明するための図。
【図３】無線装置及びエレベータ制御装置の機能構成を示すブロック図。
【図４】エレベータシステムにおけるエレベータの通常運行時の処理手順を示すフローチャート。
【図５】エレベータシステムが電源復帰する際の処理手順を示すフローチャート。
【発明を実施するための形態】
【００１３】
以下、図面を参照して実施形態を説明する。
【００１４】
図１は、本実施形態に係るエレベータシステム１０の構成を示す。図１に示すエレベータシステム１０では、制御盤と称される、当該エレベータ全体の制御を行うエレベータ制御装置１１が昇降路２０の上部に備えられている。
【００１５】
エレベータシステム１０においては、昇降路２０内に乗りかご１２とカウンタウエイト（釣り合い錘）１３とが設けられており、それぞれガイドレール（図示せず）に昇降動作可能に支持されている。
【００１６】
また、昇降路２０の上部には、エレベータ制御装置１１と接続される巻上げ機１４が設置されている。巻上げ機１４は、一端が乗りかご１２と接続され、他端がカウンタウエイト１３と接続されたメインロープ１５が巻き架けられている。
【００１７】
エレベータシステム１０においては、エレベータ制御装置１１の制御に基づいて巻上げ機１４が駆動されることによって、メインロープ１５の両端に接続された乗りかご１２及びカウンタウエイト１３が互いに反対方向に昇降動作する。
【００１８】
乗りかご１２が着床する各ホール３０には、ホール呼び登録装置１６が設けられている。ホール呼び登録装置１６は、利用者が乗りかご１２に乗車するホール３０の位置（登録階）を登録するためのホール呼びボタンを含む。ホール呼びボタンに対する操作が利用者によって行われた場合、ホール呼び登録装置１６は、利用者によって登録されたホール３０の位置及び行先方向（上方向／下方向）を表す信号（以下、ホール呼びと表記）を例えばエレベータ制御装置１１に出力する。
【００１９】
更に、本実施形態に係るエレベータシステム１０においては、各ホール３０に設けられている複数のホール呼び登録装置１６と通信可能に接続される無線装置１７が設けられている。図１においては１つの無線装置１７のみが示されているが、エレベータシステム１０は、エレベータが設置されるビルの規模（階床数等）に応じて、複数の無線装置１７を備えている。
【００２０】
本実施形態における無線装置１７の各々は、複数のホール呼び登録装置１６がそれぞれ属する複数のグループの各々に対応するように設けられている。なお、複数のホール呼び登録装置１６の各々は、複数のグループのうちの１のグループに属するものとする。また、１のグループには、少なくとも２以上のホール呼び登録装置１６が属するものとする。
【００２１】
図１においては省略されているが、乗りかご１２の上部には、例えば各ホール３０に着床した乗りかご１２のかごドアを開閉制御するためのかご制御装置が設けられている。更に、乗りかご１２内には、行先階登録装置が設けられている。行先階登録装置は、乗りかご１２内に乗車した利用者の行先階を登録するための行先階ボタンを含む。行先階ボタンに対する操作が利用者によって行われた場合、行先階登録装置は、利用者によって登録された行先階を表す信号（以下、かご呼びと表記）を例えばエレベータ制御装置に出力する。
【００２２】
ここで、本実施形態におけるホール呼び登録装置１６と無線装置１７との関係について、図２を参照して具体的に説明する。
【００２３】
ここでは、エレベータが設置されているビル１００は、ホール３０ａ〜３０ｆを含む複数のホールを有しているものとする。ビル１００が有する複数のホールの各々には、上記したホール呼び登録装置１６が設けられている。図２に示す例では、ホール３０ａ〜３０ｆには、ホール呼び登録装置１６ａ〜１６ｆがそれぞれ設けられている。
【００２４】
更に、図２に示すように、エレベータシステム１０に備えられる無線装置１７は、無線装置１７ａ及び１７ｂを含む。
【００２５】
この場合、無線装置１７ａは、ホール呼び登録装置１６ａ〜１６ｃ（を含む複数のホール呼び登録装置１６）が属するグループ１１０に対応する無線装置である。
【００２６】
一方、無線装置１７ｂは、ホール呼び登録装置１６ｄ〜１６ｆ（を含む複数のホール呼び登録装置１６）が属するグループ１２０に対応する無線装置である。
【００２７】
このように本実施形態においては、グループ化された少なくとも２以上のホール呼び登録装置１６毎に、対応する無線装置が設けられる。
【００２８】
なお、本実施形態において、１のグループに属するホール呼び登録装置１６（例えば、ホール呼び登録装置１６ａ〜１６ｃ）は、図２に示すように例えば隣接するホール３０（例えば、ホール３０ａ〜３０ｃ）に設けられているものとする。
【００２９】
すなわち、ビル１００が３０階建てのビルである場合には、例えば、３０階から２１階のホール３０に設けられているホール呼び登録装置１６を１つ目のグループ、２０階から１１階のホール３０に設けられているホール呼び登録装置１６を２つ目のグループ、１０階から１階のホール３０に設けられているホール呼び登録装置１６を３つ目のグループとすることができる。なお、各グループに属するホール呼び登録装置１６の数は異なっていてもよい。更に、ホール３０の数が少ない場合には、全てのホール呼び登録装置１６（が属するグループ）に対応する１つの無線装置１７のみが設けられるような構成であっても構わない。
【００３０】
本実施形態において、エレベータ制御装置１１及び無線装置１７は、互いに無線通信を実行する機能（以下、無線通信機能と表記）を有している。これにより、無線装置１７の各々は、当該無線装置１７に対応するグループに属するホール呼び登録装置１６によって出力されるホール呼びを、無線通信によりエレベータ制御装置１１に送信することができる。
【００３１】
本実施形態において、例えばエレベータ制御装置１１が無線通信機能を有していない場合には、当該エレベータ制御装置１１の近傍に設置された無線装置を介して、無線通信を実行するような構成であってもよい。
【００３２】
更に、本実施形態においては、エレベータ制御装置１１及び乗りかご１２（かご制御装置及び行先階登録装置）間においても無線通信を実行可能に構成されているものとする。これによれば、例えば乗りかご１２は、エレベータ制御装置１１から出力されるかご制御装置を制御するための制御信号を受信することができ、行先階登録装置によって出力されるかご呼びをエレベータ制御装置１１に送信することができる。
【００３３】
図３は、図１に示す無線装置１７及びエレベータ制御装置１１の機能構成を示すブロック図である。
【００３４】
図２に示すように、無線装置１７は、呼び取得部１７１及び通信制御部１７２を含む。呼び取得部１７１は、無線装置１７に対応するグループに属するホール呼び登録装置１６によって出力されたホール呼びを取得する。なお、無線装置１７に対応するグループに属するホール呼び登録装置１６と当該無線装置１７との間の通信は、無線によるものであってもよいし、有線によるものであってもよい。
【００３５】
通信制御部１７２は、無線装置１７とエレベータ制御装置１１との間の無線通信を制御する機能を有する。通信制御部１７２は、呼び取得部１７１によって取得されたホール呼びをエレベータ制御装置１１に送信する。
【００３６】
エレベータ制御装置１１は、通信制御部１１１及び運行制御部１１２を含む。通信制御部１１１は、エレベータ制御装置１１と他の装置（無線装置１７及び乗りかご１２等）との間の無線通信を制御する機能を有する。通信制御部１１１は、無線装置１７に含まれる通信制御部１７２によって送信されたホール呼びを受信する。また、通信制御部１１１は、例えば乗りかご１２内に設けられている行先階登録装置によって出力された信号（かご呼び）を受信することもできる。
【００３７】
運行制御部１１２は、通信制御部１１１によって受信されたホール呼び及びかご呼び等に基づいて、エレベータシステム１０におけるエレベータの運行（つまり、乗りかご１２の昇降動作）を制御する。具体的には、運行制御部１１２は、通信制御部１１１によってホール呼びが受信された場合、当該ホール呼びに基づいて利用者によって登録されたホール３０（の位置）に乗りかご１２を移動（着床）させる制御を実行する。運行制御部１１２は、通信制御部１１１によってかご呼びが受信された場合、当該かご呼びに基づいて利用者によって登録された行先階に乗りかご１２を移動（着床）させる制御を実行する。
【００３８】
また、例えばエレベータの据付・調整時またはメンテナンス時等における電源のＯＮ／ＯＦＦの切り替え等に伴う電源復帰時には、無線装置１７の各々とエレベータ制御装置１１と間の通信を復帰させる必要がある。本実施形態に係るエレベータシステムにおいて、エレベータシステム１０が電源復帰する場合、エレベータ制御装置１１に送信すべきホール呼びが存在する無線装置１７とエレベータ制御装置１１との間の無線通信を優先的に復帰させる処理が実行される。
【００３９】
図３においては、便宜的に複数の無線装置１７のうちの１つのみが示されているが、他の無線装置１７についても図３と同様の構成を有する。
【００４０】
以下、本実施形態に係るエレベータシステム１０の動作について説明する。ここでは、エレベータシステム１０におけるエレベータの通常運行時の処理及び当該エレベータシステム１０が電源復帰する際の処理について説明する。
【００４１】
まず、図４のフローチャートを参照して、エレベータシステム１０におけるエレベータの通常運行時の処理手順について説明する。図４においては、エレベータ制御装置１１及び無線装置１７によって実行される処理について主に説明する。
【００４２】
エレベータの通常運行時に利用者がエレベータを利用する（つまり、ホール３０から乗りかご１２に乗車する）場合、当該利用者は、ホール３０に設けられているホール呼び登録装置１６（に含まれるホール呼びボタン）を操作する。これにより、ホール呼び登録装置１６は、ホール呼びを出力する。ホール呼び登録装置１６によって出力されるホール呼びは、当該ホール呼び登録装置１６が設けられているホール３０の位置及び行先方向を表す信号である。
【００４３】
ホール呼び登録装置１６によってホール呼びが出力されると、当該ホール呼び登録装置１６が属するグループに対応する無線装置１７に含まれる呼び取得部１７１は、当該ホール呼びを取得する（ステップＳ１）。
【００４４】
無線装置１７に含まれる通信制御部１７２は、呼び取得部１７１によって取得されたホール呼びを、無線通信によりエレベータ制御装置１１に送信する（ステップＳ２）。
【００４５】
無線装置１７（に含まれる通信制御部１７２）によって送信されたホール呼びは、エレベータ制御装置１１に含まれる通信制御部１１１によって受信される。
【００４６】
エレベータ制御装置１１に含まれる運行制御部１１２は、通信制御部１１１によって受信されたホール呼びに基づいてエレベータの運行を制御する（ステップＳ３）。具体的には、運行制御部１１２は、利用者を乗りかご１２に乗車させるために、ホール呼びによって表されるホール３０（の位置）に乗りかご１２を着床させる制御を行う。
【００４７】
ここでは、１つの無線装置１７についてのみ説明したが、他の無線装置１７においても同様の処理が実行されるものとする。
【００４８】
上記したようにエレベータの通常運行時においては、各無線装置１７からエレベータ制御装置１１に無線通信により送信されたホール呼びに基づいてエレベータの運行が制御される。
【００４９】
次に、図５に示すフローチャートを参照して、エレベータシステム１０が電源復帰する際の処理手順について説明する。
【００５０】
例えばエレベータの据付・調整時またはメンテナンス時等に電源がＯＮからＯＦＦに切り替えられた場合には、エレベータシステム１０への電力供給が停止されるため、当該エレベータシステム１０は動作停止状態となる。
【００５１】
この後、エレベータシステム１０の電源がＯＦＦからＯＮに切り替えられた場合、当該エレベータシステム１０は、電源復帰する（ステップＳ１１）。この場合、例えばエレベータ制御装置１１、乗りかご１２、ホール呼び登録装置１６及び無線装置１７等を含むエレベータシステム１０の各装置の電源が復帰し、エレベータシステム１０は動作可能状態となる。
【００５２】
この場合、エレベータシステム１０においては、エレベータ制御装置１１及び乗りかご１２間の無線通信を復帰させるための処理が実行される（ステップＳ１２）。具体的には、エレベータ制御装置１１及び乗りかご１２は互いの接続状態を確認し、異常がなければ当該エレベータ制御装置１１及び乗りかご１２間の無線通信が復帰する。なお、エレベータ制御装置１１及び乗りかご１２間の無線通信を復帰させる場合、例えばエレベータの保守点検に用いられる専用のリモートコントローラ等が使用されても構わない。
【００５３】
次に、複数の無線装置１７の各々は、当該無線装置１７に対応するグループに属するホール呼び登録装置１６によって出力されたホール呼びの有無を確認する（ステップＳ１３）。換言すれば、ステップＳ１３では、無線装置１７の各々によってグループ毎のホール呼びの有無が確認される。ここで確認されるホール呼びは、エレベータシステム１０が電源復帰する前（つまり、電源がＯＦＦされる前）にホール呼び登録装置１６によって出力されていたものでもよいし、電源復帰した後であってエレベータ制御装置１１及び無線装置１７間の無線通信の復帰前にホール呼び登録装置１６によって出力されたものであってもよい。
【００５４】
ここで、エレベータ制御装置１１及び各無線装置１７間で、上記したエレベータの通常運行時に実行されるエレベータ制御装置１１及び各無線装置１７間の無線通信とは異なる簡易通信を実行する。これにより、複数の無線装置１７の各々による確認結果は、エレベータ制御装置１１に対して通知される（ステップＳ１４）。複数の無線装置１７の各々による確認結果には、ホール呼びが存在することまたはホール呼びが存在しないことが含まれる。
【００５５】
グループに属する少なくとも２以上のホール呼び登録装置１６のうちの少なくとも１つによってホール呼びが出力されている場合には、ホール呼びが存在することを含む確認結果が通知される。一方、グループに属する少なくとも２以上のホール呼び登録装置１６の全てによってホール呼びが出力されていない場合には、ホール呼びが存在しないことを含む確認結果が通知される。
【００５６】
エレベータシステム１０においては、複数の無線装置１７の各々から通知された確認結果に基づいて、エレベータ制御装置１１及び当該無線装置１７間の無線通信を復帰するための処理が実行される（ステップＳ１５）。
【００５７】
上記したステップＳ１４及びＳ１５の処理について具体的に説明すると、まず、各無線装置１７の各々による確認結果がエレベータ制御装置１１に通知されることにより、ホール呼びが存在するグループ（に対応する無線装置１７）がエレベータ制御装置１１に通知される。
【００５８】
次に、エレベータ制御装置１１は、ホール呼びが存在するグループに対応する無線装置１７と通信を実行することにより、当該グループに属する複数のホール呼び登録装置１６のうちのどの階床のホール３０に設けられているホール呼び登録装置１６からホール呼びが出力されているかの通知を受ける。なお、ホール呼びが存在するグループが複数存在する場合には、当該複数のグループに対応する無線装置１７の各々から同様の通知を受ける。
【００５９】
これにより、エレベータ制御装置１１（に含まれる通信制御部１１１）は、ホール呼びが存在するグループに対応する無線装置１７との間の無線通信を優先的に復帰させる。エレベータ制御装置１１及び無線通信１７は互いに接続状態を確認し、異常がなければ当該エレベータ制御装置１１及び無線装置１７間の無線通信が復帰する。エレベータ制御装置１１と無線装置１７との間の無線通信が復帰した場合、当該無線装置１７（に含まれる通信制御部１１１）は、ホール呼びをエレベータ制御装置１１に送信する。エレベータ制御装置１１（に含まれる運行制御部１１２）は、無線装置１７によって送信されたホール呼びに基づいてエレベータの運行を制御する。
【００６０】
なお、エレベータ制御装置１１とホール呼びが存在しないこと（を含む確認結果）を通知した無線装置１７との間の無線通信については、エレベータ制御装置１１とホール呼びが存在することを通知した無線装置１７との間の無線通信が復帰した後に順次復帰させるものとする。
【００６１】
上記したようにエレベータシステム１０が電源復帰する際には、エレベータ制御装置１１に送信すべきホール呼び（つまり、応答すべきホール呼び）がある無線装置１７とエレベータ制御装置１１との無線通信を優先的に復帰させることができる。
【００６２】
上述した図２を用いて具体的に説明すると、エレベータシステム１０の電源復帰時に、例えばホール呼び登録装置１６ａによって出力されたホール呼びが存在する場合には、無線装置１７ｂよりも無線装置１７ａとエレベータ制御装置１１との間の無線通信が優先的に復帰される。
【００６３】
一方、例えばホール呼び登録装置１６ｆによって出力されたホール呼びが存在する場合には、無線装置１７ａよりも無線装置１７ｂとエレベータ制御装置１１との間の無線通信が優先的に復帰される。
【００６４】
上記したようにエレベータ制御装置１１に送信すべきホール呼びがある無線装置１７（ホール呼びが存在するグループ）が複数存在する場合には、例えばより上位（または下位）の階床のホール３０に設けられているホール呼び登録装置１６（が属するグループ）に対応する無線装置１７を優先する等の所定のルールに従って優先的に無線通信を復帰する無線装置１７を決定すればよい。
【００６５】
ここで、無線装置１７に対応するグループに属するホール呼び登録装置１６と当該無線装置１７との間の通信が有線によるものである場合は問題ないが、無線によるものである場合には、ステップＳ１３の処理において当該ホール呼び登録装置１６及び無線装置１７間の無線通信を復帰させる必要がある。この場合、例えば無線装置１７においては、当該無線装置１７に対応するグループに属するホール呼び登録装置１６のＩＤ等が管理されているものとする。これによれば、無線装置１７は、当該無線装置１７において管理されているＩＤに基づいて当該無線装置１７に対応するグループに属するホール呼び登録装置１６（つまり、無線通信を復帰すべきホール呼び登録装置１６）を判別することにより、当該無線装置１７及び当該ホール呼び登録装置１６間の無線通信を復帰させることができる。
【００６６】
なお、図５に示す処理は、例えば停電等によるシステムダウンまたは通信障害等によりエレベータ制御装置１１及び各無線装置１７間で発生した無線通信ダウンから復帰するような場合に実行されてもよい。
【００６７】
上記したように本実施形態においては、各ホール３０に設けられた複数のホール呼び登録装置１６がそれぞれ属する複数のグループの各々に対応する複数の無線装置１７を備え、複数の無線装置１７の各々は、当該無線装置１７に対応するグループに属するホール呼び登録装置１６によって出力されたホール呼びを、無線通信によりエレベータ制御装置１１に送信する。本実施形態においては、このような構成により、全てのホール呼び登録装置１６がエレベータ制御装置１１と無線通信を実行する必要がないため、例えば高層ビル等におけるエレベータシステム１０であっても当該エレベータ制御装置１１と無線通信を実行する通信機器の数を低減することができる。これにより、エレベータシステム１０における無線通信の安定性（システム安定性）を向上させることが可能となるとともに、電源復帰時に異常が発生することを抑制し、例えばエレベータの据付・調整時またはメンテナンス時の作業性を向上させることが可能となる。
【００６８】
また、本実施形態においては、エレベータ制御装置１１と複数の無線装置１７との間の無線通信を復帰する必要がある場合に、エレベータ制御装置１１に送信すべきホール呼びがある無線装置１７との無線通信を優先的に復帰させる構成により、当該復帰後のエレベータの運行を円滑に行うことが可能となる。
【００６９】
なお、例えばエレベータ制御装置１１と無線装置１７（に対応するグループに属するホール呼び登録装置１６）との間で画像データのような容量の大きいデータを送受信する場合があるが、例えば当該エレベータ制御装置１１と当該無線装置１７との間の無線通信が優先的に復帰された場合であっても、このようなデータの送受信は、エレベータ制御装置１１と全ての無線装置１７との間の無線通信が復帰した後に行われるような構成とすることも可能である。
【００７０】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１０…エレベータシステム、１１…エレベータ制御装置、１２…乗りかご、１３…カウンタウエイト、１４…巻上げ機、１５…メインロープ、１６…ホール呼び登録装置、１７…無線装置、１１１…通信制御部、１１２…運行制御部、１７１…呼び取得部、１７２…通信制御部。
【要約】
【課題】システム安定性やエレベータの据付・調整時またはメンテナンス時の作業性を向上させることが可能なエレベータシステム及び無線通信方法を提供することにある。
【解決手段】本実施形態に係るエレベータシステムは、乗りかごの昇降動作を制御するエレベータ制御装置と、乗りかごが着床するホールの各々に設けられ、利用者の操作に応じてホール呼びを出力する複数のホール呼び登録装置と、複数のホール呼び登録装置がそれぞれ属する複数のグループの各々に対応する複数の無線装置とを具備する。複数の無線装置の各々は、当該無線装置に対応するグループに属するホール呼び登録装置によって出力されたホール呼びを、無線通信によりエレベータ制御装置に送信する送信手段を含む。
【選択図】図２【図１】
0005963334.tif 000002
【図２】
0005963334.tif 000003
【図３】
0005963334.tif 000004
【図４】
0005963334.tif 000005
【図５】
0005963334.tif 000006